(57)【要約】【課題】ドアの戸開方向に関わらずに、エレベータのドアの戸閉時におけるカメラによる検知エリアを、より確保することができる画像検知装置を提供する。【解決手段】実施形態によれば、画像検知装置は、カメラと、画像解析部と、筐体ユニットとを具備する。前記画像解析部は、前記カメラによって撮像された画像を解析して、エレベータのドア近辺の利用者を検知する。前記筐体ユニットには、前記カメラと前記画像解析部とが搭載される。前記カメラは、前記筐体ユニット内の前記筐体ユニットが前記エレベータに設置された状況下において前記エレベータのドアの間口方向に対応する第１方向で偏心した位置であって前記第１方向と直交する第２方向中央の位置に配置される。前記画像検知装置は、乗りかごの出入り口上部を覆う幕板に設置される。【選択図】図３
2020152540.tif 000002
【特許請求の範囲】
【請求項１】
カメラと、
前記カメラによって撮像された画像を解析して、エレベータのドア近辺の利用者を検知する画像解析部と、
前記カメラと前記画像解析部とが搭載される筐体ユニットと、
を具備し、
前記カメラが、前記筐体ユニット内の前記筐体ユニットが前記エレベータに設置された状況下において前記エレベータのドアの間口方向に対応する第１方向で偏心した位置であって前記第１方向と直交する第２方向中央の位置に配置され、
乗りかごの出入り口上部を覆う幕板に設置される画像検知装置。
【請求項２】
前記カメラが、前記筐体ユニット内の前記第１方向端部に配置される請求項１に記載の画像検知装置。
【請求項３】
前記筐体ユニットが、前記ドアが乗場から見て左端部から開く左開きの場合、前記カメラが前記筐体ユニットの中心部よりも前記左端部側に位置する向きで前記エレベータに設置され、前記ドアが前記乗場から見て右端部から開く右開きの場合、前記カメラが前記筐体ユニットの中心部よりも前記右端部側に位置する向きで前記エレベータに設置される請求項１または２に記載の画像検知装置。
【請求項４】
前記筐体ユニットが、前記ドアが左開きの場合、前記幕板上の前記ドアの間口の左端部に対応する領域に前記カメラが位置するように設置され、前記ドアが右開きの場合、前記幕板上の前記ドアの間口の右端部に対応する領域に前記カメラが位置するように設置される請求項３に記載の画像検知装置。
【請求項５】
前記筐体ユニットが、前記ドアが中央部から開く中央開きの場合、前記幕板上の前記ドアの間口の中央位置に対応する領域に前記カメラが位置するように設置される請求項１または２に記載の画像検知装置。
【発明の詳細な説明】
【技術分野】
【０００１】
本発明の実施形態は、エレベータのドアの戸開・戸閉制御に用いられる画像検知装置に関する。
【背景技術】
【０００２】
近時、エレベータの乗りかごのドア付近から乗場の方向に向けて撮影された時系列に連続する画像を解析することにより、乗車意思のある利用者の有無を検知し、ドアの開閉を制御するといった技術が提案されている。エレベータのドアが片開きの場合、画像を撮影するためのカメラは、ドアの閉じ位置に対応するドアの間口の端部に設置することが好ましい（特許文献１）。また、エレベータ扉と出入口枠との間隙に手の指などが挟まれるのを防止するために出入口枠の上部にカメラを設置している（特許文献２）。
【先行技術文献】
【特許文献】
【０００３】
【特許文献１】特許第６０４６２８５号公報
【特許文献２】特開平１０−１５２２７７号公報
【発明の概要】
【発明が解決しようとする課題】
【０００４】
カメラと、画像解析エンジンとが別体である場合、カメラ単体のドアの間口の端部への設置は容易である。一方、カメラと、画像解析エンジンとを搭載する画像検知ユニット（画像検知装置）の場合、エレベータのドアが片開きであり、かつ、左開きまたは右開きのいずれであっても、ドアの閉じ位置に対応するドアの間口の端部にカメラを設置可能とするためには、画像検知ユニット内でのカメラの位置が課題となる。
【０００５】
本発明が解決しようとする課題は、ドアの戸開方向に関わらずに、エレベータのドアの戸閉時におけるカメラによる検知エリアを、より確保することができる画像検知装置を提供することである。
【課題を解決するための手段】
【０００６】
実施形態によれば、画像検知装置は、カメラと、画像解析部と、筐体ユニットとを具備する。前記画像解析部は、前記カメラによって撮像された画像を解析して、エレベータのドア近辺の利用者を検知する。前記筐体ユニットには、前記カメラと前記画像解析部とが搭載される。前記カメラは、前記筐体ユニット内の前記筐体ユニットが前記エレベータに設置された状況下において前記エレベータのドアの間口方向に対応する第１方向で偏心した位置であって前記第１方向と直交する第２方向中央の位置に配置される。前記画像検知装置は、乗りかごの出入り口上部を覆う幕板に設置される。
【図面の簡単な説明】
【０００７】
【図１】実施形態の画像検知装置を適用するエレベータの乗車検知システムの構成を示す図。
【図２】実施形態の画像検知装置において撮影される画像の一例を示す図。
【図３】実施形態の画像検知装置におけるカメラの配置を説明するための図。
【図４】実施形態の画像検知装置がドアの戸開方向に応じてエレベータに設置される様子を示す図。
【図５】実施形態の画像検知装置においてエレベータのドアが閉じ切る直前までカメラによる検知エリアが確保される様子を示す図。
【発明を実施するための形態】
【０００８】
以下、実施の形態について、図面を参照して説明する。
図１は、本実施形態の画像検知装置２０を適用するエレベータの乗車検知システムの構成を示す図である。なお、ここでは、１台の乗りかご１１を例にして説明するが、複数台の乗りかご１１でも同様の構成である。
【０００９】
画像検知装置２０は、所定画素数を有する監視用のカメラ２１と、カメラ２１によって撮像された画像を解析して、乗場１５から乗りかご１１に乗車する利用者を検知する画像処理エンジン２２とを有する。画像検知装置２０は、カメラ２１と画像処理エンジン２２とが単一の筐体ユニットに搭載される一体型のユニットとして構成されている。このような構成を有する画像検知装置２０は、カメラ２１のレンズ部分を乗場１５側に向けて、乗りかご１１の出入口上部を覆う幕板１２に設置される。
【００１０】
カメラ２１は、たとえば車載カメラなどの小型の監視用カメラであり、広角レンズを有し、１秒間に数コマ（たとえば３０コマ／秒）の画像を連続撮影可能である。乗りかご１１が各階に到着して戸開したときに、乗場１５の状態を乗りかご１１内のかごドア１３付近の状態を含めて撮影する。
【００１１】
なお、各階の乗場１５において、乗りかご１１の到着口には乗場ドア１４が開閉自在に設置されている。乗場ドア１４は、乗りかご１１の到着時にかごドア１３に係合して開閉動作する。動力源（ドアモータ）は乗りかご１１側にあり、乗場ドア１４はかごドア１３に追従して開閉するだけである。以下の説明において、かごドア１３を戸開しているときには乗場ドア１４も戸開しており、かごドア１３を戸閉しているときには乗場ドア１４も戸閉しているものとする。
【００１２】
かご制御装置４０は、エレベータの全体的な制御を司るエレベータ制御装置との間で乗場呼びやかご呼びなどの各種信号を送受信する。「乗場呼び」とは、各階の乗場１５に設置された乗場呼び釦の操作により登録される呼びの信号であり、登録階と行先方向の情報を含む。「かご呼び」とは、乗りかご１１のかご室内に設けられた行先呼び釦の操作により登録される呼びの信号であり、行き先階の情報を含む。
【００１３】
また、かご制御装置４０は、戸開閉制御部４１を備える。戸開閉制御部４１は、乗りかご１１が乗場１５に到着したときのかごドア１３の戸開閉を制御する。より詳しくは、戸開閉制御部４１は、乗りかご１１が乗場１５に到着したときにかごドア１３を戸開し、所定時間経過後に戸閉する。ただし、所定時間経過時に画像処理エンジン２２によってエレベータのドア近辺の人物、より詳しくは、乗車意思のある人物が検知された場合には、戸開閉制御部４１は、かごドア１３の戸閉動作を禁止して戸開状態を維持する。また、かごドア１３が戸閉しているときに画像処理エンジン２２によって乗車意思のある人物が検知された場合には、戸開閉制御部４１は、かごドア１３の戸閉動作を中断して再度戸開動作を行う。
【００１４】
図２は、カメラ２１によって撮像された画像の一例を示す図である。図２中のａ１は検知エリアを表している。エレベータのドアには、中央開き、左開き、右開きなど、ドアの戸開方向が異なるいくつかの種類が存在する。図２は、エレベータのドアが中央開きである場合におけるカメラ２１による撮像画像の一例を示している。
【００１５】
エレベータのドアが中央開きである場合、画像処理エンジン２２が、乗車意思のある利用者をエレベータのドアが閉じ切る直前まで検知できるように、ドアの間口の中心位置に対応する幕板１２上の領域にカメラ２１が位置していることが好ましい。同様に、エレベータのドアが左開きである場合、ドアの間口の左端部に対応する幕板１２上の領域にカメラ２１が位置していることが好ましく、エレベータのドアが右開きである場合、ドアの間口の右端部に対応する幕板１２上の領域にカメラ２１が位置していることが好ましい。なお、ここでは、その説明は省略するが、画像処理エンジン２２は、中央開き用の画像の解析アルゴリズムと、左開き用の画像の解析アルゴリズムと、右開き用の画像の解析アルゴリズムとを備えている。
【００１６】
ところで、カメラ２１と画像処理エンジン２２とが単一の筐体ユニットに搭載される一体型の画像検知装置２０においては、通常、カメラ２１が筐体ユニットの中心部に配置される。しかしながら、そうすると、エレベータのドアが左開きまたは右開きの場合、筐体ユニットをドアの間口の端部に寄せて設置しても、カメラ２１は筐体ユニットの中心部に配置されているので、ドアの戸閉時、カメラ２１による検知エリアが戸閉途中でドアによって制限されてしまう。
【００１７】
そこで、本実施形態の画像検知装置２０は、エレベータのドアの戸閉時におけるカメラによる検知エリアを、より確保することができるようにしたものであり、以下、この点について詳述する。
図３は、本実施形態の画像検知装置２０の筐体ユニット内におけるカメラ２１の配置について説明するための図である。
【００１８】
図３中、（Ａ）は、ドアが左開きのエレベータに設置された画像検知装置２０を乗場１５側から見た場合を想定した図であり、（Ｂ）は、ドアが右開きのエレベータに設置された画像検知装置２０を乗場１５側から見た場合を想定した図である。本実施形態の画像検知装置２０は、ドアが左開きのエレベータの場合と、ドアが右開きのエレベータの場合とで、左右反転して設置される。なお、「左開き」とは、乗場１５にいる利用者から見て左側からドアが開くことであり、「右開き」とは、乗場１５にいる利用者から見て右側からドアが開くことである。したがって、乗場１５側からドアを見た場合を想定している図３においては、（Ａ）のドアが左開きの場合、画像検知装置２０の左側から右側へドアが開き、かつ、画像検知装置２０の右側から左側へドアが閉じていき、（Ｂ）のドアが右開きの場合、画像検知装置２０の右側から左側へドアが開き、かつ、画像検知装置２０の左側から右側へドアが閉じていくことになる。
【００１９】
そして、図３に示すように、本実施形態の画像検知装置２０は、カメラ２１を、筐体ユニットの中心ではなく、ドアの間口方向に対応する長手方向で偏心した位置に配置する。好ましくは、筐体ユニット内の長手方向端部に配置する。また、本実施形態の画像検知装置２０は、ドアが左開きのエレベータの場合と、ドアが右開きのエレベータの場合とで、左右反転して設置されることを考慮して、カメラ２１を、筐体ユニットの巾方向中央の位置に配置する。カメラ２１を、筐体ユニットの巾方向中央の位置に配置することで、どちらの向きで画像検知装置２０がエレベータに設置された場合でも、カメラ２１の合焦距離の設定などの変更を不要とすることができる。つまり、本実施形態の画像検知装置２０においては、カメラ２１が、筐体ユニット内の長手方向で偏心した位置であって巾方向中央の位置に配置される。カメラ２１を筐体ユニットの巾方向中央の位置に配置する本実施形態の画像検知装置２０は、左右反転して設置することができるので、ドアが左開きのエレベータと、ドアが右開きのエレベータとのいずれにも適用することができる。
【００２０】
図４は、図３に示すようにカメラ２１が配置される画像検知装置２０が、エレベータのドアの戸開方向に応じて、どのようにエレベータに設置されるのかを示す図である。
図４は、乗場１５からドア（乗車ドア１４）を見た場合を想定した図であり、図３中、（Ａ）は中央開きのドア、（Ｂ）左開きのドア、（Ｃ）は右開きのドアである場合を想定している。前述したように、「左開き」とは、乗場１５にいる利用者から見て左側からドアが開くことであり、「右開き」とは、乗場１５にいる利用者から見て右側からドアが開くことである。そこで、ここでは、かごドア１３について、乗場１５にいる利用者から見て右側に位置する扉を右扉、乗場１５にいる利用者から見て左側に位置する扉を左扉と称する。また、右端、左端などについては、乗場１５側から見た左右を示すものとする。
【００２１】
図４（Ａ）に示されるように、中央開きのドアの場合、戸閉時、乗場ドア１４の左扉１４ａの右端と右扉１４ｂの左端とが隣接する直前、つまり、エレベータのドアが閉じ切る直前まで乗場１５の状態を撮影できるように、画像検知装置２０は、カメラ２１がドアの間口の中央部に位置するように設置される。左開きのドアの場合、戸閉時、乗場ドア１４の左扉１４ａの左端がドアの間口の端部に達する直前、つまり、エレベータのドアが閉じ切る直前まで乗場１５の状態を撮影できるように、図４（Ｂ）に示されるように、画像検知装置２０は、カメラ２１がドアの間口の（乗場１５から見て）左端部に位置するように設置される。右開きのドアの場合、戸閉時、乗場ドア１４の右扉１４ｂの右端がドアの間口の端部に達する直前、つまり、エレベータのドアが閉じ切る直前まで乗場１５の状態を撮影できるように、図４（Ｃ）に示されるように、画像検知装置２０は、カメラ２１がドアの間口の（乗場１５から見て）右端部に位置するように設置される。
【００２２】
このように、本実施形態の画像検知装置２０は、カメラ２１を、筐体ユニットの中心ではなく、筐体ユニット内の長手方向で偏心した位置であって巾方向中央の位置に配置することによって、エレベータのドアが左開きまたは右開きの場合において、カメラ２１が筐体ユニットの中心に配置される場合と比較して、（それらのうちの一方については左右反転させることによって）カメラ２１の位置をドアの間口の端部側へ寄せことができる。カメラ２１を筐体ユニット内の長手方向端部に配置した場合においては、さらに、カメラ２１の位置をドアの間口の端部に寄せ切ることができる。
【００２３】
図５は、図３に示すようにカメラ２１が配置される画像検知装置２０が、図４に示すようにエレベータに設置されることによって、エレベータのドアが閉じ切る直前までカメラ２１による検知エリアが確保される様子を示す図である。
図５は、乗場１５（および乗車ドア１４の一部）を上方から見た場合を想定した図であり、図５中、（Ａ）は左開きのドア、（Ｂ）は右開きのドアである場合を想定している。また、ここでは、カメラ２１が筐体ユニット内の長手方向端部に配置されている場合を想定する。
【００２４】
エレベータのドアが左開きまたは右開きのいずれの場合であっても、カメラ２１が巾方向中央の位置に配置されていることから、それらのうちの一方については左右反転させて設置することで、カメラ２１の位置をドアの間口の端部に寄せ切ることができる本実施形態の画像検知装置２０においては、左開きのドアの場合、図５（Ａ）に示されるように、戸閉時、ドアの左端がドアの間口の端部に達する直前、つまり、エレベータのドアが閉じ切る直前までカメラ２１の検知エリアｂ−１が確保される。右開きのドアの場合、図５（Ｂ）に示されるように、戸閉時、ドアの右端がドアの間口の端部に達する直前、つまり、エレベータのドアが閉じ切る直前までカメラ２１の検知エリアｂ−２が確保される。
【００２５】
また、カメラ２１が筐体ユニット内の長手方向端部に配置されていなくとも、カメラ２１が、筐体ユニット内の長手方向で偏心した位置であって巾方向中央の位置に配置されているならば、カメラ２１が筐体ユニットの中心に配置される場合と比較して、エレベータのドアの戸閉時、検知エリアｂ−１、ｂ−２が、より確保される。
【００２６】
以上のように、本実施形態の画像検知装置２０は、ドアの戸開方向に関わらずに、エレベータのドアの戸閉時におけるカメラ２１による検知エリアを、より確保することができる。
なお、以上では、カメラ２１と画像処理エンジン２２とが単一の筐体ユニットに搭載される画像検知装置２０において、カメラ２１を筐体ユニット内の中心部から端部へ寄せて構成することによって、カメラ２１の位置をドアの間口の端部に寄せ切ることができるようにした例について説明した。カメラ２１が分離して設けられ、外付けされる画像検知装置２０においては、当該外付けのカメラ２１を、ドアの間口の中心部ではなく、端部に位置させることが好ましい。たとえば、画像検知装置２０がカメラ２１を着脱自在に構成されている場合には、カメラ２１の装着部が、筐体ユニット内のエレベータのドアの間口方向に対応する長手方向で偏心した位置であって巾方向中央の位置に設けられていることが好ましい。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１１…乗りかご、１２…幕板、１３…かごドア、１４…乗場ドア、１４ａ…乗場ドアの左扉、１４ｂ…乗場ドアの右扉、１５…乗場、２０…画像検知装置、２１…カメラ、２２…画像処理エンジン、４０…かご制御装置、４１…戸開閉制御部。
【図１】
2020152540.tif 000003
【図２】
2020152540.tif 000004
【図３】
2020152540.tif 000005
【図４】
2020152540.tif 000006
【図５】
2020152540.tif 000007
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
カメラと、
前記カメラによって撮像された画像を解析して、エレベータのドア近辺の利用者を検知する画像解析部と、
前記カメラと前記画像解析部とが搭載される筐体ユニットと、
を具備し、
前記カメラが、前記筐体ユニット内の、前記筐体ユニットが前記エレベータに設置された状況下において前記エレベータのドアの間口方向に対応する第１方向で偏心した位置であって前記第１方向と直交する第２方向中央の位置に配置され、
前記筐体ユニットが、前記ドアが乗場から見て左端部から開く左開きの場合、前記カメラが前記筐体ユニットの中心部よりも前記左端部側に位置する向きで前記エレベータに設置され、前記ドアが前記乗場から見て右端部から開く右開きの場合、前記カメラが前記筐体ユニットの中心部よりも前記右端部側に位置する向きで前記エレベータに設置され、
乗りかごの出入り口上部を覆う幕板に設置される画像検知装置。
【請求項２】
前記カメラが、前記筐体ユニット内の前記第１方向端部に配置される請求項１に記載の画像検知装置。
【請求項３】
前記筐体ユニットが、前記ドアが左開きの場合、前記幕板上の前記ドアの間口の左端部に対応する領域に前記カメラが位置するように設置され、前記ドアが右開きの場合、前記幕板上の前記ドアの間口の右端部に対応する領域に前記カメラが位置するように設置される請求項１に記載の画像検知装置。
【請求項４】
前記筐体ユニットが、前記ドアが中央部から開く中央開きの場合、前記幕板上の前記ドアの間口の中央位置に対応する領域に前記カメラが位置するように設置される請求項１または２に記載の画像検知装置。
【手続補正２】
【補正対象書類名】明細書
【補正対象項目名】０００６
【補正方法】変更
【補正の内容】
【０００６】
実施形態によれば、画像検知装置は、カメラと、画像解析部と、筐体ユニットとを具備する。前記画像解析部は、前記カメラによって撮像された画像を解析して、エレベータのドア近辺の利用者を検知する。前記筐体ユニットには、前記カメラと前記画像解析部とが搭載される。前記カメラは、前記筐体ユニット内の、前記筐体ユニットが前記エレベータに設置された状況下において前記エレベータのドアの間口方向に対応する第１方向で偏心した位置であって前記第１方向と直交する第２方向中央の位置に配置される。前記筐体ユニットが、前記ドアが乗場から見て左端部から開く左開きの場合、前記カメラが前記筐体ユニットの中心部よりも前記左端部側に位置する向きで前記エレベータに設置され、前記ドアが前記乗場から見て右端部から開く右開きの場合、前記カメラが前記筐体ユニットの中心部よりも前記右端部側に位置する向きで前記エレベータに設置される。前記画像検知装置は、乗りかごの出入り口上部を覆う幕板に設置される。